(57)【要約】【課題】シャフトの抜けを抑制するような固定構造を有するファンモータ装置を提供する。【解決手段】ステータを収容するフレームブッシュ部と、前記フレームブッシュ部に対してシャフトを回転可能に支持するベアリングと、を備え、前記シャフトに設けられ、前記ベアリングをベアリング不保持方向から保持するシャフト抜け防止用止め部材を有することを特徴とするファンモータ。【選択図】図１
2018207560.tif 000002
【特許請求の範囲】
【請求項１】
ステータを収容するフレームブッシュ部と、
前記フレームブッシュ部に対してシャフトを回転可能に支持するベアリングと、を備え、
前記シャフトに設けられ、前記ベアリングをベアリング不保持方向から保持するシャフト抜け防止用止め部材を有することを特徴とするファンモータ。
【請求項２】
前記シャフト抜け防止用止め部材は、前記シャフトの外周に設けられた円筒状の止め輪であることを特徴とする請求項１に記載のファンモータ。
【請求項３】
前記シャフト抜け防止用止め部材は、圧入止め輪であることを特徴とする請求項２に記載のファンモータ。
【請求項４】
前記シャフト抜け防止用止め部材の圧入力を、前記ベアリングの前記シャフトへの圧入力よりも高くしたことを特徴とする請求項３に記載のファンモータ。
【請求項５】
請求項１から４までのいずれか１項に記載のファンモータの製造方法であって、
前記ベアリングを前記シャフトに第１の圧入力で圧入する工程と、
前記シャフト抜け防止用止め部材を前記シャフトに前記第１の圧入力よりも大きい第２の圧入力で圧入する工程と
を有することを特徴とするファンモータの製造方法。
【発明の詳細な説明】
【技術分野】
【０００１】
本発明は、ファンモータ装置に関し、特に、ファンモータ装置のシャフト抜け防止技術に関する。
【背景技術】
【０００２】
従来、ファンモータ装置に関しては様々な構造が提案されている。ファンモータ装置においては、ファンモータのベアリングとシャフトとの固定構造には、スナップリング（Ｃ型止め輪、Ｅ型止め輪等）を用いていた（特許文献１等参照）。
【先行技術文献】
【特許文献】
【０００３】
【特許文献１】特開２００２−１３８９８９号公報
【発明の概要】
【発明が解決しようとする課題】
【０００４】
図３は、従来のファンモータ装置において、ファンモータのベアリングとシャフトとの固定構造であり、スナップリング（Ｃ型止め輪、Ｅ型止め輪等）を用いた固定構造の一例を示す図である。
【０００５】
図３に示すように、スナップリングを用いたファンモータ装置のベアリング固定構造においては、ベアリング１２３の一端をスナップリング１０１により、固定している。スナップリング１０１は、シャフト１２１に形成された溝部１５１に挿入されて固定されている。
【０００６】
しかしながら、図３に示す構造では、ファンモータの回転軸であるシャフトの延在方向に対して大きなアキシアル荷重が掛かる環境下においては、この固定構造が壊れやすく、シャフトが抜けやすいという問題があった。
【０００７】
本発明は、シャフトの抜けを抑制するような固定構造を有するファンモータ装置を提供することを目的とする。
【課題を解決するための手段】
【０００８】
本発明の一観点によれば、ステータを収容するフレームブッシュ部と、前記フレームブッシュ部に対してシャフトを回転可能に支持するベアリングと、を備え、前記シャフトに設けられ、前記ベアリングをベアリング不保持方向から保持するシャフト抜け防止用止め部材を有することを特徴とするファンモータが提供される。
【０００９】
前記シャフト抜け防止用止め部材は、前記シャフトの外周に設けられた円筒状の止め輪であることが好ましい。前記シャフト抜け防止用止め輪は、圧入止め輪であることが好ましい。
【００１０】
前記シャフト抜け防止用止め部材の圧入力を、前記ベアリングの前記シャフトへの圧入力よりも高くしたことを特徴とする。
【００１１】
本発明は、上記のいずれか１に記載のファンモータの製造方法であって、前記ベアリングを前記シャフトに第１の圧入力で圧入する工程と、前記シャフト抜け防止用止め部材を前記シャフトに前記第１の圧入力よりも大きい第２の圧入力で圧入する工程と、を有することを特徴とするファンモータの製造方法である。
【発明の効果】
【００１２】
本発明によれば、ファンモータ装置において、シャフトの抜けを抑制することができる。
【図面の簡単な説明】
【００１３】
【図１】本発明の一実施の形態によるファンモータ装置の一構成例を示す側断面図である。
【図２】図１の固定構造の要部の断面図である。
【図３】従来のファンモータ装置の固定構造の要部の断面図である。
【発明を実施するための形態】
【００１４】
以下、本発明の一実施の形態によるファンモータ装置について図面を参照しながら詳細に説明する。
【００１５】
図１は、本実施の形態によるファンモータ装置の一構成例を示す側断面図である。すなわち、ファンモータ装置１を、回転シャフト軸の中心を通る面に沿って切断した断面図である。図２は、図１の固定構造の要部の断面図である。図１の左側が送風側ＡＲ１である。
【００１６】
図１及び図２に示すように、本実施の形態によるファンモータ装置Ａは、フレーム１と、羽根３と、フレーム（ブッシュ）部４と、羽根ボス部５の内面に設けられるロータカバー１４と、ロータカバー１４の内面に設けられるマグネット１３とを有する。ロータカバー１４はシャフト２１とロータブッシュ１８により接続されている。
【００１７】
これらの内側には、ステータコア７と、その外側に設けられるコイル１５及びそれらを絶縁するインシュレータ１１と、による回転駆動部が設けられている。回転駆動部の一方側（送風側ＡＲ１）には基板１７が設けられ、回転駆動部から基板１７への導通体１９が設けられている。
【００１８】
これら回転駆動部を収容するフレーム（ブッシュ）部４の下方には、ベアリング２３を介してシャフト２１が設けられている。ベアリング２３は、フレーム（ブッシュ）部４に設けられた段差部４ａとベアリング２３の一端との間にスプリング２５が介装されており、図１の外側に向けてベアリング２３を付勢する。そして、ベアリング２３の他端側には、ベアリングの他端部に接触する位置において、ベアリング不保持方向（スプリング２５と反対方向）からベアリング２３を押さえるシャフト抜け防止用止め部材３１が設けられている。シャフト抜け防止用止め部材３１は、例えば、シャフトの外周に設けられた円筒状の止め輪であり、このシャフト抜け防止用止め輪が例えば圧入により嵌め込まれている。リング状のシャフト抜け防止用止め輪３１は、図３のスナップリングよりも軸方向の寸法が大きい。さらに、シャフト２１との接触面積が広い。
【００１９】
また、リング状のシャフト抜け防止用止め輪３１のシャフト２１に対する（４１）圧入力は、ベアリング２３のシャフト２１に対する（４３）圧入力よりも高くされている。すなわち、リング状のシャフト抜け防止用止め輪３１はシャフト２１に対して強固に嵌め込まれている。
【００２０】
上記の構造では、ベアリング２３の先端側の端部に接触する位置に円筒状のリング状のシャフト抜け防止用止め輪３１が圧入により嵌め込まれており、かつ、リング状にベアリング２３を押さえることができる。従って、従来よりもベアリング２３を強固に固定することができる。
【００２１】
加えて、ベアリング２３の圧入部よりも高い圧入力を有するリング状のシャフト抜け防止用止め輪３１の圧入部が形成されるため、シャフト２１の固定を強固にすることができる。
【００２２】
従って、軸方向に大きな荷重や強い衝撃が加わった場合でもファン本体、ファン装置に与える損傷の影響が抑制され、ファンモータ装置の信頼性を向上させることができる。
【００２３】
また、シャフトの抜けを抑制するような固定構造を有するファンモータ装置を提供することができる。
【００２４】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００２５】
例えば、リング状のシャフト抜け防止用止め輪３１は、ファンの全周に亘って形成されていなくても、一部に切れ目が形成されていても良い。切れ目があれば、容易に圧入が可能である。この場合に、圧入後に、リングをかしめて固定するようにすると良い。
【００２６】
また、ベアリングの両側にリング状圧入止め輪を設けても良い。一部に切れ目を形成し、リング状のシャフト抜け防止用止め輪３１とシャフト２１の間に凹凸を設けて嵌合するようにしても良い。
【００２７】
また、本発明の各構成要素は、任意に取捨選択することができ、取捨選択した構成を具備する発明も本発明に含まれるものである。
【産業上の利用可能性】
【００２８】
本発明は、ファンモータ装置の固定構造に利用可能である。
【符号の説明】
【００２９】
Ａ…ファンモータ装置
１…フレーム
３…羽根（ブレード）
４…フレーム（ブッシュ）部
５…羽根ボス部
７…コア
１１…インシュレータ
１３…マグネット
１４…ロータカバー
１５…コイル
２１…シャフト
２３…ベアリング
３１…リング状のシャフト抜け防止用止め輪（シャフト抜け防止用止め部材）
【図１】
2018207560.tif 000003
【図２】
2018207560.tif 000004
【図３】
2018207560.tif 000005
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
ステータを収容するフレームブッシュ部と、
前記フレームブッシュ部に対してシャフトを回転可能に支持するベアリングと、を備え、
前記シャフトに設けられ、前記ベアリングをベアリング不保持方向から保持するシャフト抜け防止用止め部材を有し、
前記シャフト抜け防止用止め部材は、前記シャフトの外周に設けられたリング状に前記ベアリングを押さえる前記ベアリングの圧入部よりも高い圧入力を有する円筒状の止め輪であることを特徴とするファンモータ。
【請求項２】
請求項１に記載のファンモータの製造方法であって、
前記ベアリングを前記シャフトに第１の圧入力で圧入する工程と、
前記シャフト抜け防止用止め部材を前記シャフトに前記第１の圧入力よりも大きい第２の圧入力で圧入する工程と
を有することを特徴とするファンモータの製造方法。
【請求項３】
前記シャフト抜け防止用止め部材は、一部に切れ目が形成されており、圧入後に、リングをかしめて固定することを特徴とする請求項２に記載のファンモータの製造方法。